(57)【特許請求の範囲】
【請求項１】
外枠を有する絶縁性の壁部で内部領域を形成する第１のハウジング、および前記壁部から前記第１のハウジングの外部に向かって延びた導電性の部材である第１のコンタクトを有する第１のコネクタと、
前記第１のハウジングの内部領域に少なくとも一部が配置される絶縁性の壁部からなる第２のハウジング、および前記第２のハウジングの壁部から前記第２のハウジングの外部に向かって延びた導電性の部材である第２のコンタクトを有する第２のコネクタと、を備え、
前記第１のハウジングと前記第２のハウジングとを嵌合させることで、前記第１のコンタクトと前記第２のコンタクトとが電気的に接続される電気コネクタであって、
前記第１のコネクタは、
前記第１のハウジングの前記外枠の対向する一対の内壁のそれぞれに配置された、前記ハウジング同士の嵌合時にその嵌合を維持するための係合部を備え、
前記第２のコネクタは、
前記第２のハウジングの対向する一対の壁部のそれぞれに配置され、その壁部の外壁に対して隙間を空けた状態で前記外壁に沿うようにして、前記第２のコンタクトが接続されている基板に向かって延びた、前記内部領域に一部が配置される一対の弾性平板であり、前記ハウジング同士の嵌合時に前記係合部と対向する位置にその係合部との係合を実現する被係合部が形成されているロック部と、
前記ハウジング同士の嵌合時に外部に露出する前記ロック部のそれぞれの一端に接続され、前記基板の端面よりも外側に端部が位置するように前記基板の外側に向かって延びた一対の平板であり、前記ハウジング同士の嵌合解除時に前記端部同士の間隔が狭められると、前記ロック部を前記外壁に近づけることで、前記被係合部と前記係合部との係合を解除するロック解除操作部と、を備える、
電気コネクタ。
【請求項２】
前記ロック解除操作部は、前記端部同士の間隔が予め定めた間隔に狭められると、前記基板の端面、または、前記第２のハウジングの外壁に当接するように、前記基板の外側に向かって延びている、
請求項１に記載の電気コネクタ。
【請求項３】
前記係合部には、孔が形成されており、
前記被係合部は、前記孔に係合可能に形成された突起である、
請求項１に記載の電気コネクタ。
【請求項４】
前記第２のコンタクトは、前記第２のハウジングの短手方向にある一対の前記壁部のそれぞれから前記第２のハウジングの外部に向かって延びており、
前記ロック部は、各々、前記第２のハウジングの長手方向にある一対の前記壁部のそれぞれに配置されており、
前記係合部は、各々、前記第１のハウジングの前記外枠の長手方向にある一対の前記内壁のそれぞれに配置されている、
請求項１に記載の電気コネクタ。
【請求項５】
前記ロック部に接続されており、且つ、前記第２のハウジングの長手方向にある前記壁部を掴んだ状態で前記基板に端部が接続される、基板接続部を備える、
請求項４に記載の電気コネクタ。
【請求項６】
前記ロック部と前記ロック解除操作部と前記基板接続部とは、一体形成されている、
請求項５に記載の電気コネクタ。
【発明の詳細な説明】
【技術分野】
【０００１】
本発明は、電気コネクタに関する。
【背景技術】
【０００２】
嵌合可能に構成された２つのコネクタが嵌め合わされることで、一方のコネクタが実装された基板と他方のコネクタが実装された基板とを電気的に接続する電気コネクタとして、例えば、特許文献１に記載の電気コネクタが知られている。
【０００３】
この電気コネクタは、プラグコネクタに設けられたプラグ補強金具とリセプタクルコネクタに設けられたリセプタクル補強金具とを備える。作業者は、両コネクタを嵌合させて、プラグ補強金具の係合突起を、リセプタクル補強金具の係合孔に係合させることで、プラグコネクタとリセプタクルコネクタとをロック状態にする（嵌合が維持された状態にする）。
【０００４】
プラグコネクタとリセプタクルコネクタとの嵌合を解除する際、作業者は、まず、鋏状の治具の先端を、プラグコネクタが実装された基板の解除孔に挿入する。そして、作業者は、治具の先端を、リセプタクル補強金具に設けられた治具挿入孔に挿入する。更に、作業者は、治具を操作して、プラグ補強金具を弾性変形させ、プラグ補強金具の係合突起をリセプタクル補強金具の係合孔から離すことで、係合突起と係合孔との係合を解除する。この状態を維持した上で、作業者は、プラグコネクタとリセプタクルコネクタとを引き離すことで、プラグコネクタとリセプタクルコネクタとの嵌合を解除する。
【０００５】
よって、特許文献１に記載の電気コネクタによれば、係合突起と係合孔との係合が、例えば作業者の予期せぬ動作によって、誤って解除されることを防止可能である。
【先行技術文献】
【特許文献】
【０００６】
【特許文献１】特開２０１１−６５８６１号公報
【発明の概要】
【発明が解決しようとする課題】
【０００７】
特許文献１に記載されている電気コネクタでは、プラグコネクタとリセプタクルコネクタとの嵌合を解除する際、作業者は、前述の通り、鋏状の治具の先端を、基板の解除孔に挿入し、リセプタクル補強金具の治具挿入孔に挿入し、更には、治具を操作して、プラグ補強金具を弾性変形させた状態を維持しなければならない。
【０００８】
よって、特許文献１に記載されている電気コネクタによれば、コネクタ同士の嵌合の解除が、煩雑であるという問題点がある。また、特許文献１に記載されている電気コネクタによれば、嵌合を解除する際、専用の治具が必要であるという問題点がある。
【０００９】
本発明は、上記実情に鑑みてなされたものであり、コネクタ同士の嵌合を確実に維持できる上に、コネクタ同士の嵌合の解除が容易な電気コネクタを提供することを目的とする。
【課題を解決するための手段】
【００１０】
上記目的を達成するために、この発明に係る電気コネクタは、
外枠を有する絶縁性の壁部で内部領域を形成する第１のハウジング、および壁部から第１のハウジングの外部に向かって延びた導電性の部材である第１のコンタクトを有する第１のコネクタと、
第１のハウジングの内部領域に少なくとも一部が配置される絶縁性の壁部からなる第２のハウジング、および第２のハウジングの壁部から第２のハウジングの外部に向かって延びた導電性の部材である第２のコンタクトを有する第２のコネクタと、を備え、
第１のハウジングと第２のハウジングとを嵌合させることで、第１のコンタクトと第２のコンタクトとが電気的に接続されるものであって、
第１のコネクタは、
第１のハウジングの外枠の対向する一対の内壁のそれぞれに配置された、ハウジング同士の嵌合時にその嵌合を維持するための係合部を備え、
第２のコネクタは、
第２のハウジングの対向する一対の壁部のそれぞれに配置され、その壁部の外壁に対して隙間を空けた状態で外壁に沿うようにして、第２のコンタクトが接続されている基板に向かって延びた、内部領域に一部が配置される一対の弾性平板であり、ハウジング同士の嵌合時に係合部と対向する位置にその係合部との係合を実現する被係合部が形成されているロック部と、
ハウジング同士の嵌合時に外部に露出するロック部のそれぞれの一端に接続され、基板の端面よりも外側に端部が位置するように基板の外側に向かって延びた一対の平板であり、ハウジング同士の嵌合解除時に端部同士の間隔が狭められると、ロック部を外壁に近づけることで、被係合部と係合部との係合を解除するロック解除操作部と、を備える。
【００１１】
また、ロック解除操作部は、端部同士の間隔が予め定めた間隔に狭められると、基板の端面、または、第２のハウジングの外壁に当接するように、基板の外側に向かって延びている、
ものでもよい。
【００１２】
また、係合部には、孔が形成されており、
被係合部は、孔に係合可能に形成された突起である、
ものでもよい。
【００１３】
また、第２のコンタクトは、第２のハウジングの短手方向にある一対の壁部のそれぞれから第２のハウジングの外部に向かって延びており、
ロック部は、各々、第２のハウジングの長手方向にある一対の壁部のそれぞれに配置されており、
係合部は、各々、第１のハウジングの外枠の長手方向にある一対の内壁のそれぞれに配置されている、
ものでもよい。
【００１４】
また、ロック部に接続されており、且つ、第２のハウジングの長手方向にある壁部を掴んだ状態で基板に端部が接続される、基板接続部を備える、
ものでもよい。
【００１５】
また、ロック部とロック解除操作部と基板接続部とは、一体形成されている、
ものでもよい。
【発明の効果】
【００１６】
ロック部に形成されている被係合部と係合部とが、ハウジング同士の嵌合時に係合する。よって、コネクタ同士の嵌合を確実に維持できる。
【００１７】
また、ロック解除操作部は、ハウジング同士の嵌合解除時に端部同士の間隔が狭められると、ロック部を外壁に近づけることで、被係合部と係合部との係合を解除する。よって、コネクタ同士の嵌合の解除が容易である。
【００１８】
また、ロック解除操作部の操作によって、ハウジング同士の嵌合を解除できる。よって、専用の治具を必要とすることなく、嵌合を解除できる。
【図面の簡単な説明】
【００１９】
【図１】本発明の実施の形態に係る電気コネクタの嵌合状態における斜視図である。
【図２】基板に実装されたリセプタクルコネクタの斜視図である。
【図３】係合部材の斜視図である。
【図４】基板に実装されたプラグコネクタの斜視図である。
【図５】ロック部材の斜視図である。
【図６】（ａ）は、基板に実装されたプラグコネクタの上面図であり、（ｂ）は、Ｄａ−Ｄａ線における断面図である。
【図７】（ａ）は、基板に実装された電気コネクタの嵌合状態における上面図であり（プラグコネクタが実装された基板は図示を省略）、（ｂ）は、Ｄｂ−Ｄｂ線における断面図である。
【図８】（ａ）は、基板に実装された電気コネクタの嵌合解除時における上面図であり（プラグコネクタが実装された基板は図示を省略）、（ｂ）は、Ｄｃ−Ｄｃ線における断面図である。
【発明を実施するための形態】
【００２０】
以下、本発明の実施の形態に係る電気コネクタ１０を、図面を参照して説明する。なお、各図において、電気コネクタ１０の短手方向をｘ軸方向、長手方向をｙ軸方向、厚さ方向をｚ軸方向とする直交座標系を設定し、適宜参照する。また、各軸の矢印方向を＋（プラス）で示し、その反対方向を−（マイナス）で示す。
【００２１】
図１に示す電気コネクタ１０は、リセプタクルコネクタ２０と、リセプタクルコネクタ２０に嵌合されるプラグコネクタ４０とを備える。
【００２２】
リセプタクルコネクタ２０は、図２に示すように、絶縁性の壁部（例えば、プラスチック製の壁部）で内部領域を形成するリセプタクル用ハウジング部２１を備える。リセプタクル用ハウジング部２１は、略矩形状の外枠２２と、外枠２２に囲まれた状態で配置されている絶縁性の直方体状のブロック２３と、外枠２２とブロック２３とを接続する底部２４と、を備えている。外枠２２とブロック２３と底部２４とで形成された内部空間に、プラグコネクタ４０の少なくとも一部が収容される。
【００２３】
また、リセプタクルコネクタ２０は、外枠２２の短手方向にある一対の内壁２２ａから外枠２２の壁面を伝い、リセプタクル用ハウジング部２１の外部に向かって延びたリセプタクル用コンタクト部２５を備える。リセプタクル用コンタクト部２５は、導電性の部材（例えば、銅合金の平板材等）である。リセプタクル用コンタクト部２５は、例えば、柔軟性が低い回路基板Ｋａの端子接続部にハンダ付けされる。
【００２４】
また、リセプタクルコネクタ２０は、コネクタ同士の嵌合時にその嵌合を維持するための係合部材２６を備えている。係合部材２６は、外枠２２の対向する一対の内壁２２ｂのそれぞれに配置されている。より詳細には、係合部材２６は、外枠２２の長手方向にある一対の内壁２２ｂのそれぞれに配置されている。
【００２５】
係合部材２６の一部は、リセプタクル用ハウジング部２１の内部領域の奥側（底部２４側）に形成されている挿入孔２２ｃに挿通されている。この挿入孔２２ｃは、内部領域の奥側とリセプタクル用ハウジング部２１の外部とを繋ぐ。
【００２６】
係合部材２６は、図３に示すように、一体形成された金属板である。係合部材２６は、貫通孔２６ｄが形成されている係合基部２６ａと、係合基部２６ａと基板接続部２６ｃとを連結する連結部２６ｂと、回路基板Ｋａの端子接続部に接続される基板接続部２６ｃと、を備えている。
【００２７】
係合基部２６ａは、平板状である。係合基部２６ａは、外枠２２の対向する一対の内壁２２ｂのそれぞれに配置されている。係合基部２６ａは、ｘ軸方向にある両端に固定片２６ａｂを備える。この固定片２６ａｂが、外枠２２に設けられた溝部２２ｄに圧入され固着される。これにより、係合部材２６は、外枠２２に強固に取り付けられる。
【００２８】
係合基部２６ａに形成されている貫通孔２６ｄは、プラグコネクタ４０に設けられている、後述するロック部材と、コネクタ同士の嵌合時に係合する。貫通孔２６ｄとロック部材との係合によって、コネクタ同士の嵌合が維持される。係合基部２６ａの、ｚの値が小さい方の端部は、連結部２６ｂの、ｙの値が小さい方の端部に接続されている。
【００２９】
連結部２６ｂは、断面が略Ｊ字状である。連結部２６ｂの一部は、挿入孔２２ｃに挿通される。このため、連結部２６ｂの、ｙの値が大きい方の端部は（連結部２６ｂの、曲がった部分の先端部は）、リセプタクル用ハウジング部２１の外部に露出している。
【００３０】
基板接続部２６ｃは、リセプタクル用ハウジング部２１の外部に配置される。基板接続部２６ｃの、ｙの値が小さい方の端部は、連結部２６ｂの、ｙの値が大きい方の端部に接続されている。基板接続部２６ｃは、回路基板Ｋａの例えば端子接続部にハンダ付けされる。このハンダ付けにより、リセプタクルコネクタ２０が回路基板Ｋａに固定される。
【００３１】
上述したリセプタクルコネクタ２０に嵌合されるプラグコネクタ４０は、図４に示すように、リセプタクルコネクタ２０の内部領域に少なくとも一部が配置される略矩形状の枠を有する、プラグ用ハウジング部４１を備える。このため、プラグ用ハウジング部４１には、リセプタクルハウジング２０の内部領域内にあるブロック２３を嵌め込むための凹部ＳＰが形成されている。プラグ用ハウジング部４１は、絶縁性の壁部（例えば、プラスチック製の壁部）からなる。
【００３２】
また、プラグコネクタ４０は、プラグ用ハウジング部４１の短手方向にある一対の壁部のそれぞれの内壁からプラグ用ハウジング部４１の外壁を伝い、プラグ用ハウジング部４１の外部に向かって延びたプラグ用コンタクト部４２を有する。プラグ用コンタクト部４２は、導電性の部材（例えば、導線等）である。プラグ用コンタクト部４２は、例えば、柔軟性が高いフレキシブル基板Ｋｂにハンダ付けされる。
【００３３】
プラグコネクタ４０は、コネクタ同士の嵌合時、リセプタクルコネクタ２０に設けられた係合部材２６との係合を実現する、一対のロック部材４３を備える。ロック部材４３は、一体形成された金属板である。ロック部材４３は、各々、プラグ用ハウジング部４１の長手方向にある、対向する一対の壁部のそれぞれに配置されている。
【００３４】
ロック部材４３は、図５に示すように、凸形状の突起４４ａを有する略Ｕ字状のロック部４４と、嵌合の解除時にロック部４４を操作するためのロック解除操作部４５と、プラグ用ハウジング部４１をフレキシブル基板Ｋｂに固着するための基板接続部４６と、を備えている。
【００３５】
ロック部４４は、コネクタ同士の嵌合時に、リセプタクル用ハウジング部２１の内部領域に一部が配置される。ロック部４４には、リセプタクルコネクタ２０の貫通孔２６ｄとの係合を実現する突起４４ａ（貫通孔２６ｄに係合可能に形成された突起４４ａ）が形成されている。突起４４ａは、ハウジング同士の嵌合時における貫通孔２６ｄと対向する位置に、形成されている。
【００３６】
ロック部４４は、図６（ｂ）（図６（ａ）のＤａ−Ｄａ線における断面図）に示すように、プラグ用ハウジング部４１の長手方向にある、対向する一対の壁部の外壁４１ａに対して隙間Ｓを空けた状態で外壁４１ａに沿うようにして、プラグ用コンタクト部４２が接続されているフレキシブル基板Ｋｂに向かって一端が延びた、一対の弾性平板である。
【００３７】
ロック部４４の一端は、図６（ｂ）に示すように、プラグ用ハウジング部４１の壁部に形成された溝部４１ｂに圧入され固着される。これにより、ロック部材４３は、プラグ用ハウジング部４１に強固に取り付けられる。
【００３８】
一方、プラグ用コンタクト部４２が接続されているフレキシブル基板Ｋｂに向かって延びたロック部４４の他端は、ロック解除操作部４５の一端に接続されている。
【００３９】
ロック解除操作部４５は、図５、図６（ｂ）に示すように、断面が略Ｌ字状である。ロック解除操作部４５は、フレキシブル基板Ｋｂの端面よりも外側に端部４５ａが位置するように、フレキシブル基板Ｋｂの外側に向かって延びている。即ち、一対のロック解除操作部４５の端は（端部４５ａに接続される端は）、それぞれ、＋ｙ方向、或いは、−ｙ方向に延設されている。
【００４０】
端部４５ａは、ロック解除操作部４５の端に接続されている。端部４５ａは、金属板が折り返されて形成されている。この折り返された部分は、ハウジング同士の嵌合の解除時に作業者が例えば指を掛ける部分である。端部４５ａは、フレキシブル基板Ｋｂの外側に向かって＋ｚ方向に延設されている。このため、端部４５ａは、フレキシブル基板Ｋｂの裏面（プラグコネクタ４０が実装されていない面）から突き出ている。
【００４１】
ハウジング同士の嵌合の解除時に端部４５ａ同士の間隔が狭められると、ロック解除操作部４５は、プラグ用ハウジング部４１の外壁４１ａにロック部４４を近づけることで、突起４４ａと貫通孔２６ｄとの係合を解除する。
【００４２】
図５、図６（ａ）に示すように、断面が略Ｕ字状であるロック部４４の底部分４４ｂの、ｘ軸方向にある両端には、一対の基板接続部４６が接続されている。一対の基板接続部４６は、断面が略ｚ字状である。
【００４３】
この一対の基板接続部４６は、図６（ａ）に示すように、プラグ用ハウジング部４１の長手方向にある壁部を、ロック部４４の底部分４４ｂと共に、掴んだ状態にする。その状態で、端部４６ａが、フレキシブル基板Ｋｂの例えば端子にハンダ付けされる。このハンダ付けにより、プラグコネクタ４０がフレキシブル基板Ｋｂに固定される。
【００４４】
上述したリセプタクルコネクタ２０とプラグコネクタ４０とを嵌合させる場合、作業者は、例えばフレキシブル基板Ｋｂに実装されたプラグコネクタ４０を、例えば回路基板Ｋａに実装されたリセプタクルコネクタ２０に正対させる。
【００４５】
そして、作業者は、リセプタクル用ハウジング部２１の内部空間にプラグ用ハウジング部４１を押し入れる。すると、ロック部４４が、係合基部２６ａに当接して弾性変形する。その後、ロック部４４は、その弾性力によって係合基部２６ａとの当接状態を維持したまま、リセプタクル用ハウジング部２１の内部空間の奥側（底部２４側）に移動する。その結果、ロック部４４の突起４４ａが、図７（ｂ）（図７（ａ）のＤｂ−Ｄｂ線における断面図）に示すように、係合基部２６ａに形成された貫通孔２６ｄに係合する。
【００４６】
この係合により、リセプタクル用ハウジング部２１とプラグ用ハウジング部４１の嵌合状態を確実に維持できる。このとき、リセプタクル用コンタクト部２５とプラグ用コンタクト部４２とが接触するので、これらが電気的に接続される。よって、上述の係合により、リセプタクル用コンタクト部２５とプラグ用コンタクト部４２との電気的接続も、確実に維持できる。その結果、回路基板Ｋａとフレキシブル基板Ｋｂとの各端子が電気的に接続される。
【００４７】
その後、例えばプラグコネクタ４０の交換のために、リセプタクルコネクタ２０とプラグコネクタ４０との嵌合を解除する場合、作業者は、ロック解除操作部４５の端部４５ａに手を掛け（一対の端部４５ａを摘み）、図８（ａ），（ｂ）に示すように、端部４５ａ同士の間隔を狭める。
【００４８】
すると、ロック部４４が、弾性変形して、図８（ｂ）（図８（ａ）のＤｃ−Ｄｃ線における断面図）に示すように、プラグ用ハウジング部４１の外壁４１ａに近づく。これにより、突起４４ａと貫通孔２６ｄとの係合が解除される。そして、作業者は、リセプタクル用ハウジング部２１の内部空間からプラグ用ハウジング部４１を引き抜く。このようにして、作業者は、容易に、リセプタクルコネクタ２０とプラグコネクタ４０との嵌合を解除できる。
【００４９】
ここで、ロック解除操作部４５は、端部４５ａ同士の間隔が予め定めた間隔ｍに狭められると、フレキシブル基板Ｋｂの端面に当接するように、フレキシブル基板Ｋｂの外側に向かって延びている。このため、端部４５ａ同士の間隔が必要以上に狭められることを防止できる。これにより、ロック部４４が塑性変形することを防止できる。
【００５０】
なお、ロック部４４の塑性変形の防止策としては、例えば、フレキシブル基板Ｋｂに切り欠きを設け、この切り欠きによって、ロック解除操作部４５を、フレキシブル基板Ｋｂに当接させることなく、プラグ用ハウジング部４１の外壁４１ａに当接させることでも、実現できる。
【００５１】
上述したように、本実施の形態の電気コネクタ１０は、リセプタクル用ハウジング部２１の内部空間にプラグ用ハウジング部４１が押し入れられると、貫通孔２６ｄに突起４４ａが係合する。よって、本実施の形態の電気コネクタ１０によれば、コネクタ２０，４０同士の嵌合を確実に維持できる。
【００５２】
また、本実施の形態の電気コネクタ１０は、ロック解除操作部４５の端部４５ａ同士の間隔が狭められると、貫通孔２６ｄと突起４４ａとの係合が解除される。よって、本実施の形態の電気コネクタ１０によれば、コネクタ２０，４０同士の嵌合の解除が容易である。
【００５３】
また、本実施の形態の電気コネクタ１０では、プラグ用コンタクト部４２は、プラグ用ハウジング部４１の短手方向にある一対の壁部のそれぞれの内壁から、プラグ用ハウジング部４１の外部に向かって延びている。
【００５４】
一方、ロック部材４３は、各々、プラグ用ハウジング部４１の長手方向にある一対の壁部のそれぞれに配置されている。また、係合部材２６は、外枠２２の長手方向にある一対の内壁２２ｂのそれぞれに配置されている。
【００５５】
よって、ロック解除操作部４５の端部４５ａ同士の間隔を、プラグ用ハウジング部４１の長手方向の長さを活かしたものにすることができる。この結果、電気コネクタ１０が小型であっても、作業者が掴み易い、端部４５ａ同士の間隔を実現できる。
【００５６】
以上、本発明の実施の形態を説明したが、この発明は上述の実施の形態に限定されず、種々の変形および応用が可能である。
【００５７】
上述した実施の形態の電気コネクタ１０では、係合基部２６ａに貫通孔２６ｄが形成され、ロック部４４に突起４４ａが形成されていたが、これに限られるものではない。
【００５８】
電気コネクタ１０は、係合基部２６ａに突起が形成されており、その突起と係合可能に構成された貫通孔がロック部４４に形成されていてもよい。このような構成の電気コネクタ１０であっても、コネクタ２０，４０同士の嵌合を確実に維持できると共に、コネクタ２０，４０同士の嵌合の解除を容易にできる。
【００５９】
上述した実施の形態の電気コネクタ１０では、ロック解除操作部４５の断面が略Ｌ字状であったが、これに限られるものではない。ロック解除操作部４５は、フレキシブル基板Ｋｂの端面よりも外側に端部４５ａが位置するように、フレキシブル基板Ｋｂの外側に向かって延びていればよい。このため、ロック解除操作部４５は、例えば平板であってもよい。
【００６０】
上述した実施の形態の電気コネクタ１０では、ロック解除操作部４５の端部４５ａが折り返されていたが、これに限られるものではない。端部４５ａは、折り返しのないものであってもよい。
【００６１】
なお、上述した実施の形態の一部又は全部は、以下のようにも記載されうるが、以下には限られない。
【００６２】
外枠を有する絶縁性の壁部で内部領域を形成する第１のハウジング、および前記壁部から前記第１のハウジングの外部に向かって延びた導電性の部材である第１のコンタクトを有する第１のコネクタと、
前記第１のハウジングの内部領域に少なくとも一部が配置される絶縁性の壁部からなる第２のハウジング、および前記第２のハウジングの壁部から前記第２のハウジングの外部に向かって延びた導電性の部材である第２のコンタクトを有する第２のコネクタと、を備え、
前記第１のハウジングと前記第２のハウジングとを嵌合させることで、前記第１のコンタクトと前記第２のコンタクトとが電気的に接続される電気コネクタであって、
前記第１のコネクタは、
前記第１のハウジングの前記外枠の対向する一対の内壁のそれぞれに配置された、前記ハウジング同士の嵌合時にその嵌合を維持するための係合部を備え、
前記第２のコネクタは、
前記第２のハウジングの対向する一対の壁部のそれぞれに配置され、その壁部の外壁に対して隙間を空けた状態で前記外壁に沿うようにして、前記第２のコンタクトが接続されている基板に向かって延びた、前記内部領域に一部が配置される一対の弾性平板であり、前記ハウジング同士の嵌合時に前記係合部と対向する位置にその係合部との係合を実現する被係合部が形成されているロック部と、
前記ハウジング同士の嵌合時に外部に露出する前記ロック部のそれぞれの一端に接続され、前記第２のハウジングの外部に向かって延びた一対の平板であり、前記ハウジング同士の嵌合解除時に前記一対の平板が前記基板に近づけられると、前記ロック部を前記外壁に近づけることで、前記被係合部と前記係合部との係合を解除するロック解除操作部と、を備える、
電気コネクタ。
【００６３】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【符号の説明】
【００６４】
１０  電気コネクタ、２０  リセプタクルコネクタ、２１  リセプタクル用ハウジング部、２２  外枠、２２ａ，２２ｂ  内壁、２２ｃ  挿入孔、２２ｄ，４１ｂ  溝部、２３  ブロック、２４  底部、２５  リセプタクル用コンタクト部、２６  係合部材、２６ａ  係合基部、２６ａｂ  固定片、２６ｂ  連結部、２６ｃ  基板接続部、２６ｄ  貫通孔、４０  プラグコネクタ、４１  プラグ用ハウジング部、４１ａ  外壁、４２  プラグ用コンタクト部、４３  ロック部材、４４  ロック部、４４ａ  突起、４４ｂ  底部分、４５  ロック解除操作部、４５ａ  端部、４６  基板接続部、Ｋａ  回路基板、Ｋｂ  フレキシブル基板、ｍ  間隔、Ｓ  隙間、ＳＰ  凹部。
【図１】
0006350072.tif 000002
【図２】
0006350072.tif 000003
【図３】
0006350072.tif 000004
【図４】
0006350072.tif 000005
【図５】
0006350072.tif 000006
【図６】
0006350072.tif 000007
【図７】
0006350072.tif 000008
【図８】
0006350072.tif 000009